(57)【特許請求の範囲】
【請求項１】
羽根車を２つのボリュートで囲繞し、その羽根車に最も近接する両ボリュートの基端部が羽根車の中心部を挟んで対称に位置するポンプを、機内に具え、このポンプにより機外の水を吸水ホースを介し吸入して機内の槽の内部に供給するようにしたものにおいて、
そのポンプの一方のボリュートの基端部に、羽根車の回転方向に凹となる欠除部を形成したことを特徴とする洗濯機。
【請求項２】
ポンプの羽根車の吸込み側の側板に吸水口とは別の吸水用開口部を形成したことを特徴とする請求項１記載の洗濯機。
【請求項３】
吸水用開口部を、孔で、ポンプの羽根車の羽根の各間に位置させて形成したことを特徴とする請求項２記載の洗濯機。
【請求項４】
ポンプの羽根車の吸水口周囲のリブに、１個又は複数個の欠除部を形成したことを特徴とする請求項１記載の洗濯機。
【発明の詳細な説明】
【０００１】
【発明の属する技術分野】
本発明は、機外の水を機内の槽の内部に供給するポンプを、機内に具えた洗濯機に関する。
【０００２】
【従来の技術】
近年、洗濯機においては、浴槽内の風呂水など機外の水を機内の槽の内部に供給するポンプを、機内に具えたものが供されている。このものは、その機内に具えたポンプにより、機外の水を吸水ホースを介して吸入し、そして機内の槽の内部に供給するようになっている。
【０００３】
又、ポンプ自体は、図１７に示すように、羽根１ａを偶数枚有する羽根車１を、２つのボリュート２，３で囲繞し、その羽根車１に最も近接する両ボリュート２，３の基端部２ａ，３ａが羽根車１の中心部１ｏを挟んで対称に位置する構成となっている。
【０００４】
なお、図１７には、そのほか、一方のボリュート２の先端部２ｂと他方のボリュート３の基端部３ａとで形成した出水口４、及び他方のボリュート３の先端部３ｂと一方のボリュート２の基端部２ａとで形成した出水口５、ポンプ全体の外殻を成すケース６、ケース６内の吐出室７、吐出室７中に形成した吸込路８、吐出口９、呼び水吸込口１０等をも示している。
【０００５】
【発明が解決しようとする課題】
上記従来のものの場合、ポンプ作動時には、まず、呼び水吸込口１０から吐出室７内に呼び水が供給され、この状態で、羽根車１が図示しないモータにより矢印Ａで示すように回転駆動されることによって、機外の水が図示しない吸水ホースから吸込路８を介してボリュート２，３内に吸入され、そして、出水口４，５から吐出室７及び吐出口９を順に通してケース６外に吐出され、機内の図示しない槽の内部へと給水されるようになっている。このとき、発生する振動が大きく、騒音も大きくなっていた。
【０００６】
本発明は上述の事情に鑑みてなされたものであり、従ってその目的は、主として、機内に具えたポンプで機外の水を機内の槽の内部に供給するときの振動、騒音の発生を少なくし得る洗濯機を提供するにある。
【０００７】
【課題を解決するための手段】
上記目的を達成するために、本発明の洗濯機においては、第１に、羽根車を２つのボリュートで囲繞し、その羽根車に最も近接する両ボリュートの基端部が羽根車の中心部を挟んで対称に位置するポンプを、機内に具え、このポンプにより機外の水を吸水ホースを介し吸入して機内の槽の内部に供給するようにしたものにおいて、そのポンプの一方のボリュートの基端部に、羽根車の回転方向に凹となる欠除部を形成したことを特徴とする（請求項１の発明）。
【０００８】
従来のもので、ポンプ作動時に、振動、騒音が大きくなる原因を探ったところ、下記のことが判明した。
羽根車１が回転するとき、ボリュート２，３の出口４，５の部分では、ボリュート２，３の各基端部２ａ，３ａの部分にそれぞれ羽根１ａが向かう段階で、圧力が高まり、すなわち昇圧する。これに対して、ボリュート２，３の各基端部２ａ，３ａの部分にそれぞれ羽根１ａが達した段階では、出口４，５からそれぞれ水が吐出されることにより、高まった圧力が低まり、すなわち減圧する。
【０００９】
このように、ボリュート２，３の出口４，５の部分では、昇圧、減圧がそれぞれ繰返されるもので、この場合、羽根１ａを偶数枚有する羽根車１に対し、ボリュート２，３の各基端部２ａ，３ａが羽根車１の中心部１ｏを挟んで対称に位置するため、ボリュート２，３の出口４，５の部分では、昇圧、減圧が両方で同時に起こり、すなわち、昇圧、減圧のサイクルが両方で合致し、このため、ポンプの振動のエネルギーが大きくなって、洗濯機への振動の伝播が大きくなり、騒音も大きくなっていたのである。
【００１０】
これに対して、上述のように、ポンプの一方のボリュートの基端部に、羽根車の回転方向に凹となる欠除部を形成したものでは、両ボリュートの出口の部分で起こる昇圧、減圧の時期がずれ、すなわち、昇圧、減圧のサイクルが両方で合致しなくなり、これによって、圧力が分散され、ポンプの振動のエネルギーが小さくなって、洗濯機への振動の伝播が小さくなり、騒音も小さくなる。
【００１４】
この場合、ポンプの羽根車の吸込み側の側板に吸水口とは別の吸水用開口部を形成すると良い（請求項２の発明）。
このものでは、形成した吸水用開口部からも水が吸入され、その分、ポンプの吐出量が増えることにより、ポンプが吸水ホースの内部に残っている空気を排出して水を吸い上げるようになるまでの時間を短縮できると共に、吐出圧力が小さくなることによって、振動、騒音も更に低減される。
【００１５】
又、上記吸水用開口部は、孔で、ポンプの羽根車の羽根の各間に位置させて形成すると良い（請求項３の発明）。
このものでは、吸水口をポンプの羽根車の吸込み側の側板に形成することが、容易にできるようになる。
【００１６】
更に、ポンプの羽根車の吸水口周囲のリブに、１個又は複数個の欠除部を形成するのも良い（請求項４の発明）。
このものでは、ポンプの羽根車の吸水口周囲のリブに、機外から吸入された水が均等に接することが避けられ、羽根車を回転駆動するモータにかかる負荷の変動が緩和される。しかも、この場合、吸入された空気が、リブの欠除部により細かい泡となることもあり、振動が小さくされる。
【００１９】
【発明の実施の形態】
以下、本発明の第１実施例につき、図１ないし図６を参照して説明する。
まず図４には、洗濯機、中でもいわゆる全自動タイプの脱水兼用洗濯機の全体構成を示しており、外箱２１内に、槽の１つである外槽２２を収容して、複数組あるうちの一部のみ図示した弾性吊持機構２３により支持している。
外槽２２内には、槽の他の１つである内槽２４を配設しており、この内槽２４は洗濯槽であり、且つ脱水槽でもあるもので、例えば最上部に脱水孔２５を周囲一列状に有しており、内部の最下部に撹拌体２６を配設している。
【００２０】
外槽２２の外下部には中央部に駆動装置２７を配設しており、この駆動装置２７は、この場合、モータ２８単体から成っている。このモータ２８は、例えばアウターロータ形であり、そのロータ２８ａに洗濯軸２９を取付けている。洗濯軸２９は中空の脱水軸３０の内部に挿通しており、この脱水軸３０に対するロータ２８ａの回転動力の伝達、解離を行うクラッチ（図示せず）を、モータ２８の内部に配設している。
【００２１】
更に、洗濯軸２９には前記撹拌体２６を取付けており、脱水軸３０には内槽２４を取付けているもので、これらにより、その撹拌体２６及び内槽２４の選択的回転駆動をモータ２８により直接的に行い、洗い、すすぎ、脱水を行うようにしている。
このほか、外槽２２の外下方部には、排水弁３１や排水ホース３２等をも配設している。又、内槽２４の内周部には、多孔状（詳しく図示せず）の内バスケット３３を設けており、内槽２４の最上部の内周には、例えば液体封入構造の回転バランサ３４を取付けている。
【００２２】
そして、外箱２１の最上部には、トップカバー３５を装着している。このトップカバー３５は、図５に示す洗濯物出入口３６を有するもので、それを例えば２つ折りタイプの蓋３７（図４参照）により開閉するようにしている。洗濯機の機内である、このトップカバー３５内の前部には、操作パネルやマイクロコンピュータ等の制御装置（いずれも図示せず）を設けており、後部（洗濯機の機後部）に、ポンプ３８と、給水ケース３９、及び図５に示す給水弁４０を設けている。
【００２３】
ここで、図３はポンプ３８の構成を詳細に示しており、このポンプ３８の外殻を成すポンプケース４１は、上下の縦方向に、モータ側ケース４２と、反モータ側ケース４３とに分けて、それぞれ例えばプラスチックの型成形により形成し、それらをパッキン４４を介して合わせ、図１に示す孔４５に挿通した複数のねじ（図示せず）によって水密に締付けている。
【００２４】
上記両ケース４２，４３のうち、上部のモータ側ケース４２には、左側部にモータ室４６を内部の隔壁４７により隔離して形成しており、このモータ室４６は、縦向きの筒状で、上端部が開放している。しかして、このモータ室４６には、その上端の開放部からモータ４８を収納しており、この場合、モータ４８は、回転軸４９が縦（下向き）となる縦軸状態に収納している。更に、モータ４８は上端部の外側部に接続端子５０を有しており、これを、モータ室４６の上端部の外側部から外方に導出させている。
【００２５】
一方、モータ室４６の底部には、中空のモータ支え部５１を形成しており、このモータ支え部５１によってモータ４８の軸受ハウジング部５２を支持している。又、モータ支え部５１には、周囲に複数の孔５３を形成しており、内部の中心部にモータ４８の前記回転軸４９を位置させている。
【００２６】
このモータ４８の回転軸４９には羽根車５４を取付けており、この羽根車５４は、取付ボス５４ａを有する円形の主板５４ｂと、これと対向する円環状の側板５４ｃとの間に、羽根５４ｄを偶数枚均等間隔で有するものである。又、この羽根車５４の側板５４ｃの中央部は吸水口５４ｅとなっており、この吸水口５４ｅの周囲部に、リブ５４ｆを下方へ突出させて円筒状に形成している。
【００２７】
上記羽根車５４とモータ支え部５１内、ひいてはモータ室４６との間は、シール５５によって水密に封鎖しており、又、羽根車５４が位置する部分の周囲に位置してモータ側ケース４２には、２つのボリュート５６，５７を形成している。ここで、図１は上記ボリュート５６，５７を詳細に示しており、すなわち、この両ボリュート５６，５７は、その２つで羽根車５４を囲繞しており、１つ１つは、基端部５６ａ，５７ａが羽根車５４に最も近接して、先端部５６ｂ，５７ｂに向かうほど羽根車５４から離間しつつ前記モータ４８による該羽根車５４の回転方向（矢印Ｂ方向）に延びるうず壁となっており、その各基端部５６ａ，５７ａは、羽根車５４の中心部５４ｏを挟んで対称に位置している。
【００２８】
そして、それらのうち、一方、この場合、図中下方のボリュート５６の基端部５６ａには、羽根車５４の回転方向に凹となる欠除部５８を形成している。図２は、この欠除部５８を詳細に示しており、すなわち、欠除部５８は、羽根車５４の羽根５４ｄの外側部のピッチＬより短く、例えばそのピッチＬのほゞ１／２の長さ範囲（Ｌ／２）だけ、羽根車５４の回転方向に凹となる矩形の切欠き状に形成している。
【００２９】
又、この場合、欠除部５８はボリュート５６の基端部５６ａの角部に形成しているが、それよりモータ側ケース４２寄り（図２中下側）の中間部や根元部に形成しても良い。更に、この欠除部５８は、矩形以外の形状に形成しても良く、特に三角形に形成する場合には、斜辺部の長さが、羽根５４ｄのピッチＬの長さ範囲となるようにしても良い。このほか、欠除部５８は、ボリュート５６の基端部５６ａに形成するのに代えて、ボリュート５７の基端部５７ａに形成するようにしても良い。
【００３０】
なお、図１には、そのほか、ボリュート５６の先端部５６ｂとボリュート５７の基端部５７ａとで形成した出水口５９、及びボリュート５７の先端部５７ｂとボリュート５６の基端部５６ａとで形成した出水口６０をも示している。
【００３１】
又、図３に示すように、前記モータ室４６の下部の外側部には、モータ側ケース４２外（ポンプケース４１外）に通じる水抜口６１を形成している。加えて、モータ側ケース４２には、右側部の上壁部のほゞ中央に吸込口６２を、筒部６３により上方へ突出させて形成しており、この吸込口６２にはストレーナ６４を内装している。又、吸込口６２より下方、すなわちモータ側ケース４２内には、管部６５により延長させて吸込路６６を形成している。
【００３２】
そして、モータ側ケース４２内の前記モータ室４６と吸込路６６とを除く残りスペース部分は、気水分離室を兼ねる吐出室６７として機能させるようにしており、従って、吸込路６６はこの吐出室６７の内部に位置している。更に、吐出室６７に連通して、モータ側ケース４２の右側部の側壁上部の前後部には、吐出口６８と、呼び水吸込口６９とを、それぞれ筒部７０，７１により外側方に突出させて形成している。
【００３３】
これらに対して、反モータ側ケース４３には、これの内部を上下に仕切る仕切板７２を内装しており、これによって、反モータ側ケース４３内の下部に吸込室７３を形成し、この吸込室７３と前記モータ側ケース４２の吐出室６７とを仕切板７２により仕切るようにしている。又、この仕切板７２には２つの通水口７４，７５を形成しており、そのうちの通水口７４を前記羽根車５４に臨ませて、上面をボリュート５６，５７の各下端部に当接させている。更に、仕切板７２の通水口７４の周囲部には、リブ７６を下方へ突出させて円筒状に形成し、このリブ７６の下端部内周に口枠７７を形成している。
【００３４】
仕切板７２の残る通水口７５は、前記吸込路６６の下端の開口部にパッキン７８を介して水密に結合しており、更に、その通水口７５と吸込路６６との連通部分に対しては、逆止弁７９を有する逆止弁ユニット８０を吸込室７３内に設けている。この逆止弁ユニット８０の逆止弁７９は、常時は吸込室７３と吸込路６６との間を実線で示すように閉塞する例えば弾性材から成るもので、吸込室７３が負圧となったときに、二点鎖線で示すように吸込室７３内側に離間してそれらの間を開放するようになっている。
【００３５】
この構成で、吐出口６８は、図５に示すように、前記給水ケース３９の上部に形成した水受口８１との間を接続パイプ８２により接続しており、給水ケース３９は、それより前方に延出形成した給水口８３を前記内槽２４内に臨ませている。又、呼び水吸込口６９には、前記給水弁４０の２つある出口部の一つを、呼び水供給パイプ８４により接続しており、給水弁４０の他の出口部は給水ケース３９内に側方より臨ませている。
【００３６】
次に、上記構成のものの作用を述べる。
まず、ポンプ３８の吸込口６２に、風呂の浴槽内など機外水源に連通させた吸水ホース（図示せず）を接続し、この状態で、ポンプ給水行程を開始させる。すると、最初に、給水弁４０が開放されることにより、この給水弁４０から呼び水供給パイプ８４を通じてポンプ３８の吐出室６７に呼び水が供給される。このポンプ３８の吐出室６７に供給された呼び水は、ボリュート５６，５７の出口部５９，６０を通ってボリュート５６，５７内に至り、このボリュート５６，５７内から更に吸込室７３内に至って、このとき、逆止弁７９により吸込室７３と吸込路６６との間が閉塞されていることにより、吸込室７３内、ボリュート５６，５７内、及び吐出室６７内を満たす。
【００３７】
次いで、モータ４８が起動されることにより、羽根車５４が回転駆動され、ボリュート５６，５７内及び吸込室７３内の水がボリュート５６，５７の出口部５９，６０から吐出室６７内に吐出されることによって、吸込室７３が負圧となる。よって、逆止弁７９が図３に二点鎖線で示すように吸込室７３と吸込路６６との間を開き、前記風呂の浴槽内など機外水源の水が吸水ホース及び吸込口６２を通じて吸込路６６内及び吸込室７３内に流入する。そして、この流入した水が、羽根車５４により吐出室６７内に吐出され、吐出口６８から接続パイプ８２、給水ケース３９を順に通じて内槽２４内に供給される。
【００３８】
このように本構成のものでは、機内に配設したポンプ３８により、機外の水を吸水ホースを介し吸入して内槽２４内に供給し得るもので、そのとき、ボリュート５６，５７の出口５９，６０の部分では、回転する羽根車５４の羽根５４ｄがそれぞれボリュート５６，５７の各基端部５６ａ，５７ａの部分に向かう段階で、圧力が高まり、すなわち昇圧する。これに対して、羽根５４ｄが、それぞれボリュート５６，５７の各基端部５６ａ，５７ａの部分に達した段階では、出口５９，６０からそれぞれ水が吐出されることにより、高まった圧力が低まり、すなわち減圧する。
【００３９】
このように、ボリュート５６，５７の出口５９，６０の部分では、昇圧、減圧がそれぞれ繰返されるもので、それに対し、本構成のものでは、羽根車５４の回転方向に凹となる欠除部５８を形成しており、これによって、ボリュート５６，５７の出口５９，６０の部分で起こる昇圧、減圧の時期がずれる。すなわち、出口５９の部分で昇圧が起こるとき、出口６０の部分では、水がボリュート５６の欠除部５８から吐出されることにより、減圧が起こり、出口５９の部分で減圧が起こるとき、出口６０の部分では、羽根車５４の羽根５４ｄがボリュート５６の欠除部５８に続く非欠除部分に向かうことにより、昇圧が起こる。
【００４０】
かくして、本構成のものの場合、ボリュート５６，５７の出口５９，６０の部分で起こる昇圧、減圧のサイクルが両方で合致しなくなり、これによって、圧力が分散され、ポンプ３８の振動のエネルギーが小さくなって、洗濯機への振動の伝播が小さくなるから、洗濯機の振動が少なくなり、騒音も小さくなる。
【００４１】
図６はこのことを発明者の実験に基づいて表しており、この場合、従来のものと本発明のものとで、洗濯機は同じとし、ポンプのみ、ボリュート２，３のいずれにも欠除部のないものと、ボリュート５６，５７のうち、一方のボリュート５６に欠除部５８のあるものとで違えて、ポンプを作動させたときの洗濯機の騒音値を測定したものである。
【００４２】
結果は、ポンプが吸水ホースに残っている空気を吸い出して水を吸い上げるようになる自吸時の騒音値が、従来のものの約４２〔ｄＢ〕に対し、本発明のものは約３９〔ｄＢ〕であり、ポンプが吸水ホースに残っている空気と水とを混合状態で吸い上げる半自吸時の騒音値が、従来のものの約５５．５〔ｄＢ〕に対し、本発明のものは約４５．５〔ｄＢ〕であり、そして、ポンプが吸水ホース及びポンプに残っている空気を排出し切って水を吸い上げる揚水時の騒音値が、従来のものの約４３．５〔ｄＢ〕に対し、本発明のものは約４０〔ｄＢ〕であった。
【００４３】
すなわち、本発明によれば、自吸時から半自吸時及び揚水時までの全体の騒音値を従来のものより低減し得、特に、圧力変動の大きな半自吸時の騒音値を自吸時及び揚水時の騒音値に近づけ得て、耳障り音をなくし得たのである。
加えて、本構成のものの場合、ポンプ３８を洗濯機の機後部に配設している。これにより、ポンプ３８が作動するときの振動が、洗濯機の前に立つ使用者に感じられることが少なくなり、騒音が聞こえることも少なくし得る。
【００４４】
以上に対して、図７ないし図１６は、第１ないし第５参考例と、本発明の第２ないし第４実施例を示すもので、それぞれ、第１実施例と同一の部分には同一の符号を付して説明を省略し、異なる部分についてのみ述べる。
【００４５】
［第１参考例］
図７に示す第１参考例においては、ポンプ３８のボリュート５６，５７のうち、一方、この場合、ボリュート５６の基端部５６ｃを、前述の基端部５６ａの欠除部５８だけでなくそれより更に根元側（図２中下側）の部分も全部ないものとして、これが、他方、この場合、ボリュート５７の基端部５７ａに対し、羽根車５４の中心部５４ｏを挟んで非対称に位置するようにしている。
このようにしたものでも、ボリュート５６，５７の出口５９，６０の部分で起こる昇圧、減圧の時期がずれ、すなわち、昇圧、減圧のサイクルが両方で合致しなくなるから、第１実施例同様に振動、騒音の発生を少なくすることができる。
【００４６】
［第２参考例］
図８に示す第２参考例においては、モータ側ケース４２に、前述のボリュート５６，５７に代えて、羽根車５４より高さの低いボリュート９１，９２を形成しており、すなわち、ボリュート９１，９２の高さを、羽根車５４の高さより低くしている。
【００４７】
このものでは、ボリュート５６，５７の出口５９，６０の部分で起こる昇圧、減圧の時期が合致するものの、両ボリュート５６，５７の高さが羽根車５４の高さより低い分、両ボリュート５６，５７の内方から水が抜け気味となって、圧力が全体として低減されるため、ポンプ３８の振動のエネルギーも全体として小さくなり、洗濯機への振動の伝播が小さくなって、振動、騒音を小さくすることができる。
【００４８】
［第３参考例］
図９に示す第３参考例においては、ポンプ３８の羽根車５４の羽根５４ｄの枚数を奇数としている。
このものでも、ボリュート５６，５７の出口５９，６０の部分で起こる昇圧、減圧の時期がずれ、すなわち、昇圧、減圧のサイクルが両方で合致しなくなるから、第１実施例同様に振動、騒音の発生を少なくすることができる。
【００４９】
［第２実施例］
図１０及び図１１に示す第２実施例においては、ポンプ３８の羽根車５４の吸込み側の側板５４ｃに、吸水口５４ｅとは別の吸水用開口部１０１を形成している。この吸水用開口部１０１は、詳細には、例えば、側板５４ｃを、中心側の内側側板５４ｃ1 と、内径がこの内側側板５４ｃ1 の外径より大きな外側側板５４ｃ2 の２つに分けて設けることにより、それら内側側板５４ｃ1 と外側側板５４ｃ2 との間に円環状に形成したものである。
【００５０】
このものでは、形成した吸水用開口部１０１からも水が吸入され、その分、ポンプの吐出量が増えることにより、前述のポンプが吸水ホースに残っている空気を吸い出して水を吸い上げるようになる自吸時間を短縮できると共に、吐出圧力が小さくなることによって、振動、騒音を更に低減することができる。
【００５１】
［第３実施例］
図１２に示す第３実施例においては、ポンプ３８の羽根車５４の側板５４ｃに、上述の吸水用開口部１０１に代えて、吸水用開口部１１１を、孔で、羽根車５４の羽根５４ｄの各間に位置させて形成している。
このものでは、吸水用開口部１１１を、羽根車５４の側板５４ｃを上述のような２つに分けることなく形成できるから、その吸水用開口部１１１の形成が容易にできて、コストの上昇を少なく抑えることができる。
【００５２】
［第４実施例］
図１３及び図１４に示す第４実施例においては、ポンプ３８の羽根車５４の吸水口５４ｅ周囲のリブ５４ｆに、三角形状を成す欠除部１２１を複数個、例えば３個形成している。
【００５３】
このものでは、欠除部１２１によって、羽根車５４のリブ５４ｆに、機外から吸入された水が均等に接することが避けられるようになり、羽根車５４を回転駆動するモータ４８にかかる負荷の変動が緩和される。しかも、この場合、吸入された空気は、リブ５４ｆの欠除部１２１により細かい泡となることもあって、振動が小さくなり、騒音も小さくできる。
なお、この場合、欠除部１２１は三角形以外の形状、例えば四角形であっても良く、又、その個数も、３個未満、例えば１個でも良く、反対に３個を超える数であっても良い。
【００５４】
［第４参考施例］
図１５に示す第４参考例においては、ポンプ３８の羽根車５４に臨む通水口７４を有する仕切板７２に、その通水口７４の周囲に部分的に位置させてリブ１３１及び口枠１３２を形成している。この場合、リブ１３１及び口枠１３２は、詳細には、通水口７４の周囲の中でも特に吸水路６６側とは反対の側に形成しており、更に、吸水路６６側に１８０°以内、好ましくは４５〜１８０°の開口を生じさせるように、それとは反対の側に１８０〜３１５°の範囲で形成している。
【００５５】
このものでは、羽根車５４に吸入される機外の水がリブ１３１に邪魔されにくくなって、羽根車５４に吸入されやすくなり、その分、振動、騒音の一層の低減ができる。
なお、この場合、リブ１３１には口枠１３２を形成していなくても良い。
【００５６】
［第５参考例］
図１６に示す第５参考例においては、上述の仕切板７２を、通水口７４の周囲にリブ及び口枠を全く有しないものとしている。
このものでは、羽根車５４に吸入される機外の水が仕切板７２の通水口７４周囲で全く邪魔されなくなって、羽根車５４に一層吸入されやすくなり、その分、振動、騒音の更に一層の低減ができる。
【００５７】
なお、上記第２ないし第４実施例と、第４、第５参考例の構造は、それらをそれぞれ単独でなく、適宜組合わせて実施するようにしても良い。
そのほか、本発明は上記し且つ図面に示した実施例にのみ限定されるものではなく、要旨を逸脱しない範囲内で適宜変更して実施し得る。
【００５８】
【発明の効果】
本発明は以上説明したとおりのもので、下記の効果を奏する。
請求項１の洗濯機によれば、ポンプの２つあるボリュートのうちの一方のボリュートの基端部に、羽根車の回転方向に凹となる欠除部を形成したことによって、両ボリュートの出口の部分で起こる昇圧、減圧のサイクルが両方で合致しなくなり、ポンプの振動のエネルギーが小さくなって、洗濯機への振動の伝播が小さくなるから、振動、騒音を小さくでき、特にポンプの自吸時から半自吸時及び揚水時までの全体の騒音値を従来のものより低減し得るばかりでなく、圧力変動の大きな半自吸時の騒音値を自吸時及び揚水時の騒音値に近づけ得て、耳障り音をなくすことができる。
【００６１】
請求項２の洗濯機によれば、ポンプの羽根車の吸込み側の側板に吸水口とは別の吸水用開口部を形成したことによって、その吸水用開口部からも水が吸入され、その分、ポンプの吐出量が増えるから、ポンプの自吸時間を短縮できると共に、吐出圧力が小さくなって、振動、騒音を更に低減することができる。
請求項３の洗濯機によれば、上記吸水用開口部を、孔で、ポンプの羽根車の羽根の各間に位置させて形成したことによって、吸水用開口部の形成が容易にできて、コストの上昇を少なく抑えることができる。
【００６２】
請求項４の洗濯機によれば、ポンプの羽根車の吸水口周囲のリブに、１個又は複数個の欠除部を形成したことによって、羽根車の吸水口周囲のリブに、機外から吸入された水が均等に接することが避けられ、羽根車を回転駆動するモータにかかる負荷の変動が緩和されると共に、吸入された空気が細かい泡となることもあって、振動が小さくなり、騒音も小さくすることができる。
【図面の簡単な説明】
【図１】本発明の第１実施例を示すポンプのモータ側ケース部分の下面図
【図２】主要部分の分解正面図
【図３】ポンプの縦断面図
【図４】洗濯機全体の破断側面図
【図５】洗濯機のポンプ配設部分の破断平面図
【図６】従来との比較で表す騒音性能図
【図７】第１参考例を示す図１相当図
【図８】第２参考例を示す図３相当図
【図９】第３参考例を示す図１相当図
【図１０】本発明の第２実施例を示す図３部分相当拡大図
【図１１】ポンプの羽根車の下面図
【図１２】本発明の第３実施例を示す図１１相当図
【図１３】本発明の第４実施例を示す図１０相当図
【図１４】図１１相当図
【図１５】第４参考例を示す図１０相当図
【図１６】第５参考例を示す図１０相当図
【図１７】従来例を示す図１相当図
【符号の説明】
２４は内槽（槽）、３５はトップカバー、３８はポンプ、３９は給水ケース、４８はモータ、５４は羽根車、５４ｃは羽根車の側板、５４ｄは羽根車の羽根、５４ｅは羽根車の吸水口、５４ｆは羽根車のリブ、５４ｏは羽根車の中心部、５６，５７はボリュート、５６ａ，５７ａ，５６ｃはボリュートの各基端部、５８は欠除部、７２は仕切板、７４は通水口、９１，９２はボリュート、１０１，１１１は吸水用開口部、１２１は欠除部、１３１はリブを示す。
【図１】
0003583030.tif 000002
【図２】
0003583030.tif 000003
【図３】
0003583030.tif 000004
【図４】
0003583030.tif 000005
【図５】
0003583030.tif 000006
【図６】
0003583030.tif 000007
【図７】
0003583030.tif 000008
【図８】
0003583030.tif 000009
【図９】
0003583030.tif 000010
【図１０】
0003583030.tif 000011
【図１１】
0003583030.tif 000012
【図１２】
0003583030.tif 000013
【図１３】
0003583030.tif 000014
【図１４】
0003583030.tif 000015
【図１５】
0003583030.tif 000016
【図１６】
0003583030.tif 000017
【図１７】
0003583030.tif 000018